(57)【要約】ネットワークアクセス機器における方法が提供される。方法は、複数の基準信号を送信するためのバースト持続時間を定義することを含む。方法はさらに、バースト持続時間内の複数の基準信号のうちの信号間の間隔を決定することを含む。方法はさらに、複数の基準信号バーストを送信するためのバースト周期を定義することを含む。方法はさらに、アクティブ化メッセージと、バースト持続時間、間隔、およびバースト周期のうちの少なくとも１つとを含む基準信号命令メッセージを送信することを含む。【選択図】図１２Ａ
2013531413.tif 000002
【特許請求の範囲】
【請求項１】
ネットワークアクセス機器における方法であって、
複数の基準信号を送信するためのバースト持続時間を定義することと、
前記バースト持続時間内の前記複数の基準信号のうちの信号間の間隔を決定することと、
複数の基準信号バーストを送信するためのバースト周期を定義することと、
アクティブ化メッセージと、前記バースト持続時間、前記間隔、および前記バースト周期のうちの少なくとも１つとを含む基準信号命令メッセージを送信することと
を含む、方法。
【請求項２】
非アクティブ化メッセージおよび持続時間パラメータのうちの少なくとも１つを送信することをさらに含む、請求項１に記載の方法。
【請求項３】
前記基準信号は、サウンディング基準シンボルである、請求項１に記載の方法。
【請求項４】
前記基準信号命令メッセージ、前記アクティブ化メッセージ、前記非アクティブ化メッセージ、および前記持続時間パラメータのうちの少なくとも１つは、無線リソース制御メッセージを使用して送信される、請求項３に記載の方法。
【請求項５】
前記基準信号命令メッセージ、前記アクティブ化メッセージ、前記非アクティブ化メッセージ、および前記持続時間パラメータのうちの少なくとも１つは、媒体アクセス制御要素を使用して送信される、請求項３に記載の方法。
【請求項６】
前記基準信号命令メッセージ、前記アクティブ化メッセージ、前記非アクティブ化メッセージ、および前記持続時間パラメータのうちの少なくとも１つは、物理ダウンリンク制御チャネルを介して送信される、請求項３に記載の方法。
【請求項７】
ネットワークアクセス機器における方法であって、
複数の伝送アンテナを伴うユーザ機器に対する第１のサウンディング基準信号バーストおよび第２のサウンディング基準信号バーストを定義することを含み、
前記第１のサウンディング基準信号バーストは、第１のアンテナのために定義され、前記第２のサウンディング基準信号バーストは、第２のアンテナのために定義され、前記第１のサウンディング基準信号バーストと前記第２のサウンディング基準信号バーストとは、異なっている、方法。
【請求項８】
前記第１のサウンディング基準信号バーストと前記第２のサウンディング基準信号バーストとは、異なる周波数リソースを使用する、請求項７に記載の方法。
【請求項９】
前記第１のサウンディング基準信号バーストと前記第２のサウンディング基準信号バーストとは、異なるコードシーケンスを使用する、請求項７に記載の方法。
【請求項１０】
前記第１のサウンディング基準信号バーストと前記第２のサウンディング基準信号バーストとは、コードシーケンスの異なる循環シフトを使用する、請求項７に記載の方法。
【請求項１１】
ＯＦＤＭシンボル内の全サウンディング基準信号は、一組のサブキャリアを占有し、前記一組のサブキャリアは、前記サウンディング基準信号を含む連続した組のサブキャリア内のサブキャリアの半分より多くを占有しない、請求項１０に記載の方法。
【請求項１２】
前記第１のサウンディング基準信号バーストと前記第２のサウンディング基準信号バーストとは、異なるサブフレームを使用する、請求項７に記載の方法。
【請求項１３】
前記第１のサウンディング基準信号バーストと前記第２のサウンディング基準信号バーストとは、同時に伝送される、請求項７に記載の方法。
【請求項１４】
前記第１のサウンディング基準信号バーストと前記第２のサウンディング基準信号バーストとは、同一の周波数リソースを使用するが、異なるコードシーケンスを使用する、請求項１３に記載の方法。
【請求項１５】
前記第１のサウンディング基準信号バーストと前記第２のサウンディング基準信号バーストとは、同一の周波数リソースを使用するが、コードシーケンスの異なる循環シフトを使用する、請求項１３に記載の方法。
【請求項１６】
１つのサウンディング基準信号バースト内の少なくとも２つのサウンディング基準信号は、異なる周波数リソースまたは異なるサブキャリアを使用する、請求項７に記載の方法。
【請求項１７】
同一の周波数リソースを使用するが、異なるコードシーケンスまたはコードシーケンスの循環シフトを使用する、前記第１のサウンディング基準信号バーストと前記第２のサウンディング基準信号バーストとをさらに含む、請求項１６に記載の方法。
【請求項１８】
１つのサウンディング基準信号バースト内の少なくとも２つのサウンディング基準信号は、コードシーケンスの同一循環シフトを使用するが、異なる周波数リソースまたはサブフレームを使用する、請求項７に記載の方法。
【請求項１９】
前記第１のサウンディング基準信号バースト内の少なくとも２つのサウンディング基準信号は、コードシーケンスの異なる循環シフトを使用する、請求項７に記載の方法。
【請求項２０】
ネットワークアクセス機器における方法であって、
複数の伝送アンテナを有するユーザ機器に対する複数のサウンディング基準信号を定義することを含み、各サウンディング基準信号は、１つの伝送アンテナのために定義され、前記複数のサウンディング基準信号は、異なっており、
ＯＦＤＭシンボル内の全サウンディング基準信号は、一組のサブキャリアを占有し、前記一組のサブキャリアは、前記サウンディング基準信号を含む連続した組のサブキャリア内のサブキャリアの半分より多くを占有せず、
前記複数のサウンディング基準信号のバーストは、コードシーケンスの異なる循環シフトを使用し、
前記循環シフトは、循環連続的である、
方法。
【発明の詳細な説明】
【背景技術】
【０００１】
電気通信産業は、動的産業である。今日の電気通信産業は、Ｃｏｄｅ  Ｄｉｖｉｓｉｏｎ  Ｍｕｌｔｉｐｌｅ  Ａｃｃｅｓｓ（ＣＤＭＡ２０００）、ＵＴＲＡＮ（ＵＴＭＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）Ｔｅｒｒｅｓｔｒｉａｌ  Ｒａｄｉｏ  Ａｃｃｅｓｓ  Ｎｅｔｗｏｒｋ）、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））、ＧＳＭ（登録商標）  ＥＤＧＥ  Ｒａｄｉｏ  Ａｃｃｅｓｓ  Ｎｅｔｗｏｒｋ（ＧＥＲＡＮ）、Ｇｅｎｅｒｉｃ  Ａｃｃｅｓｓ  Ｎｅｔｗｏｒｋ（ＧＡＮ）、Ｗｉｒｅｌｅｓｓ  Ｆｉｄｅｌｉｔｙ（ＷｉＦｉ）、Ｗｉｒｅｌｅｓｓ  Ｌｏｃａｌ  Ａｒｅａ  Ｎｅｔｗｏｒｋ（ＷＬＡＮ）、Ｇｅｎｅｒａｌ  Ｐａｃｋｅｔ  Ｒａｄｉｏ  Ｓｅｒｖｉｃｅ（ＧＰＲＳ）、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）、１ｘ  Ｅｖｏｌｕｔｉｏｎ−Ｄａｔａ  Ｏｐｔｉｍｉｚｅｄ（１ｘＥＶ−ＤＯ）、Ｈｉｇｈ−Ｓｐｅｅｄ  Ｄｏｗｎｌｉｎｋ  Ｐａｃｋｅｔ  Ａｃｃｅｓｓ（ＨＳＤＰＡ）、Ｄｉｇｉｔａｌ  Ｅｎｈａｎｃｅｄ  Ｃｏｒｄｌｅｓｓ  Ｔｅｃｈｎｏｌｏｇｙ（ＤＥＣＴ）、およびＨｉｇｈ  Ｒａｔｅ  Ｐａｃｋｅｔ  Ｄａｔａ（ＨＲＰＤ）を含む、種々の異なる無線アクセス技術を備える。他のＲＡＴまたはこれらのＲＡＴに基づく他のネットワーク技術は、当業者に周知であり得る。
【０００２】
ロング・ターム・エボリューション機器（ＬＴＥ）と称され得る、次世代ネットワークまたは次世代機器を含む、未来の電気通信技術が、進化しつつある。技術の進化に伴って、用語もまた、変化する。従来のネットワークは、基地局、セル、およびユーザ端末と称されていた。次世代システムでは、均等物または類似機器は、拡張ノードＢ（ｅＮＢ）、ホットスポット、およびユーザ機器（ＵＥ）と称される。理解を簡単にするために、ユーザによって使用されるデバイスは、本明細書では、ユーザ機器（ＵＥ）と称される。それでユーザ機器がネットワークにアクセスするデバイスは、本明細書では、ネットワークアクセス機器（例えば、基地局またはｅＮＢ）と称される。ＵＥが、ネットワークアクセス機器にアクセスすることができる面積は、セルと称される。当業者は、第１のＵＥが、第２のＵＥによって、ネットワークにアクセスするために使用されることができる事例があり得ることを理解するであろう。本実施例では、第１のＵＥはまた、ネットワークアクセス機器と称され得る。
【０００３】
本開示を通して使用されるであろう他の用語として、アップリンクおよびダウンリンクが挙げられる。アップリンク（ＵＬ）は、ＵＥから生じる通信である。ダウンリンク（ＤＬ）は、ＵＥで終端する通信である。
【発明の概要】
【課題を解決するための手段】
【０００４】
アップリンク（ＵＬ）同期は、モバイル無線ネットワーク内で動作するＵＥの必要構成要素である。信頼性のあるＵＬ同期は、概して、基準信号を含む通常のＵＬ伝送を要求する。基準信号は、ネットワークアクセス機器に、ＵＥとネットワークアクセス機器との間のタイミング差を測定し、次いで、調節させる。これらのタイミング差は、クロックドリフト、ＵＥの速度によるＵＥとネットワークアクセス機器との間の距離の変化、およびマルチパス環境の変化を含む多くの原因を有する。しかしながら、従来のＵＬ同期技法は、ＵＥの速度が増加するのに伴って、劣化し得る。以下の開示は、これらの技術的課題に照らして提供される。
【図面の簡単な説明】
【０００５】
本開示のより完全な理解のために、付随の図面および発明を実施するための形態と併せて、以下の簡単な説明を参照する（同一参照番号は、同一部品を表す）。
【図１】図１は、本発明が利用され得る、無線システムを例証する。
【図２】図２は、周期的ＳＲＳ伝送方式を例証する。
【図３】図３は、図２の周期的ＳＲＳ伝送方式のシミュレーションからの結果を示す、表である。
【図４】図４は、本発明による、周期的ＳＲＳ伝送方式を例証する。
【図５】図５は、図４の周期的ＳＲＳ伝送方式のシミュレーションからの結果を示す、表である。
【図６】図６は、本発明のある実施形態による、方法の概略流れ図である。
【図７】図７は、本発明の別の実施形態による、方法の概略流れ図である。
【図８】図８は、本発明のある実施形態による、方法の概略流れ図である。
【図９】図９は、本発明のある実施形態による、例証的ユーザ機器の概略ブロック図である。
【図１０】図１０は、本発明のある実施形態による、ネットワークアクセス機器の簡略化されたブロック図を例証する。
【図１１】図１１は、本発明による、ユーザ機器においてソートされ得る、同期タイミングモジュールを例証する。
【図１２Ａ】図１２ａは、本発明による、アクティブ化および非アクティブ化メッセージと、４つのサブフレームのＳＲＳバースト持続時間とを伴う、複数のＳＲＳバーストの実施例を例証する。
【図１２Ｂ】図１２ｂは、本発明による、単一アクティブ化メッセージを伴う、複数のＳＲＳバーストの実施例を例証する。
【図１２Ｃ】図１２ｃは、本発明による、単一ＳＲＳバーストスケジューリングの実施例を例証する。
【図１３】図１３は、本発明による、２つのコームのうちのいずれか上でのＳＲＳ伝送を例証する。
【図１４】図１４は、本発明による、複数の伝送アンテナからのコード領域におけるＳＲＳ多重化の実施例を例証しており、各アンテナは、一意の循環シフトが割り当てられる。
【図１５】図１５は、本発明による、複数のアンテナに対する時間領域におけるＳＲＳ多重化の実施例を例証する。
【図１６】図１６は、本発明による、コード領域におけるＳＲＳ多重化およびＳＲＳバースト内の周波数におけるホッピングの実施例を例証する。
【図１７】図１７は、本発明による、周波数領域におけるＳＲＳ多重化およびＳＲＳバースト内の周波数ホッピングの実施例を例証する。
【発明を実施するための形態】
【０００６】
初めに、本開示の１つ以上の実施形態の例証的実装が以下に提供されるが、開示されるシステムおよび／または方法は、現在周知または存在しているか否かに関わらず、任意の数の技法を使用して実装され得ることを理解されたい。本開示は、本明細書に例証および説明される、例示的設計ならびに実装を含む、以下に例証される、例証的実装、図面、および技法にいかようにも限定されず、添付の請求項の範囲とともに、均等物のその完全範囲内で修正され得る。したがって、以下は、本発明が、３ｒｄ  Ｇｅｎｅｒａｔｉｏｎ  Ｐａｒｔｎｅｒｓｈｉｐ  Ｐｒｏｊｅｃｔ（３ＧＰＰ）ロング・ターム・エボリューション（ＬＴＥ）ネットワークにおいて使用され得る方法の実施例であるが、当業者は、これらの概念が、他の無線ネットワークに適用することができることを理解するであろう。
【０００７】
図１は、本発明が利用され得る無線システム１００を例証する。無線システム１００は、ネットワークアクセス機器（ＮＡＥ）１０２、ネットワークアクセス機器アンテナ１０４、ユーザ機器（ＵＥ）１１０、およびＵＥアンテナ１１２を備える。ＵＥは、携帯電話、携帯情報端末、スマートフォン、ポケベル、ラップトップコンピュータ、またはネットワークアクセス機器１０２と通信する任意のデバイスであり得る。ネットワークアクセス機器１０２は、インターネット１３０に連結される。無線システム１００は、ＵＥ１１０に、電話をかけること、電話を受けること、ウェブを見ること、テキストメッセージを送信すること、および電子メールを受信すること等の種々の機能の任意または組み合わせを行わせる。
【０００８】
ＵＥ１１０およびＮＡＥ１０２は、無線ネットワーク１００のタイプに特有のプロトコルを使用して通信する。例えば、ＬＴＥの場合、アップリンク（ＵＬ）チャネルの基本形式が存在する。伝送は、いくつかの異なる帯域幅（すなわち、１．２５、５、１５、または２０メガヘルツ（ＭＨｚ））のうちの１つであり得る。時間領域において、ＵＬは、フレームとサブフレームとに分割される。スロットは、７つの直交周波数分割多重（ＯＦＤＭ）シンボルから構成され得る。２つのスロットは、サブフレームを構成する。フレームは、１０個の連続したサブフレームの集合である。サブフレームの第１のシンボルは、サウンディング基準シンボル（ＳＲＳ）が置かれる場所であり得る。復調（ＤＭ）基準シンボル（ＲＳ）は、各スロットの第４のシンボルに置かれ、制御チャネルは、周波数帯域のいちばん外側において少なくとも１つのリソースブロックによって取り込まれる。ＳＲＳシンボルは制御チャネル内において送信されないので、ＳＲＳシンボルは、データと混合されて送信される。各サブフレームの開始において利用可能なＳＲＳは、いくつかのリソースブロックに分割される（例えば、時間内において、１２のサブキャリア幅およびいくつかのシンボル）。ＵＥは、伝送帯域幅を考慮して、それらのリソースブロックの１つまたは全部を使用し得る。ＳＲＳシンボルは、ネットワークアクセス機器、例えば、拡張ノードＢ（ｅＮＢ）によって使用され、アップリンクに対して、チャネル品質、例えば、チャネル品質インジケータ（ＣＱＩ）を測定する。
【０００９】
図２は、周期的なＳＲＳ伝送方式を例証する。ＳＲＳ２０２内で変調される既知のシンボルシーケンスによって、ｅＮＢは、ＣＱＩのみを測定するだけではなく、ｅＮＢはまた、ＵＥのタイミングドリフトも同様に測定することができる。セルエッジにおいて、限定された信号対雑音比（ＳＮＲ）は、さらに詳細に論じられるある組み合わせ技法によって、複数のＳＲＳ２０２伝送を使用して、タイミング推定精度を増加させることを要求する。
【００１０】
図２に例証されるように、測定周期２０４は、タイミングアドバンス（ＴＡ）調節周期２０８と同一である。但し、時として、ＴＡ調節は、タイミングドリフトが、ＴＡ粒度より小さい場合、更新されなくてもよい。図２において、１つのタイミング推定のために使用されるＳＲＳシンボル２０２が、等間隔２０６で１つの周期２０４にわたって拡散される。低いＵＥ速度において、測定周期２０４の開始から終了までのタイミングドリフトは、有意ではなく、タイミング推定に及ぼすその影響は小さい。しかしながら、ＵＥの速度が高いとき、タイミングドリフトはより実質的となる。ほとんどのＴＡ調節測定は、経時的に、いくつかのサンプルを組み込む（例えば、いくつかのＳＲＳからの読み取り）。この測定周期２０４の間のサンプルからサンプルへのＵＥの移動は、ｅＮＢによって、全体的タイミング推定精度に及ぼす悪影響に伴って有意となる。図３は、ＳＲＳシンボル２０２が、図２に例証されるように伝送されるとき、ＵＥ速度が増加することによってタイミング推定が劣化することを示す、シミュレーションからの結果である。
【００１１】
図３に例証されるように、ＵＥ速度が、３０キロメートル／時（ｋｍ／ｈ）から５００ｋｍ／ｈに増加することに伴って、平均タイミング推定エラーは、０．２６マイクロ秒（μｓ）から０．６９μｓに増加し、９５パーセンタイル０．２２μｓから０．４８μｓに増加する。このタイミングエラー増加を克服するために、測定周期２０４内で送信されるＳＲＳシンボル２０２の数が増加され得るが、この解決策は、無線リンクを利用する他のメッセージのために利用可能な容量を減少させ、また、ＵＥのバッテリ寿命も短縮させる。
【００１２】
容量を減少させ、ＵＥのバッテリの消耗を少なくするであろう別の代替が、図４に例証される。図４に例証されるように、ＳＲＳシンボル２０２は、バースト４０２内において送信され、次いで、ＳＲＳシンボル２０２は、不活発周期４０４の間、送信されない。ＳＲＳシンボル伝送の全体的レートは一定であって、例えば、同一数のＳＲＳシンボル２０２が、ＴＡ調節周期４０８の間に送信され、例えば、２０である。しかしながら、ＳＲＳシンボル２０２間の間隔２０６および２０６’は、バースト周期４０２および不活発周期４０４を可能にするように変更される。
【００１３】
一実施形態では、間隔２０６’は、ＵＥの速度に応じて変動させられる。例えば、ＵＥの速度が増加することに伴って、間隔２０６’は減少する。間隔２０６’は、チャネル可干渉時間によって下限有界にされる。時間領域ダイバーシティを得るために、間隔２０６’は、完全に可干渉無線伝播チャネルの実現が、１つの測定周期において回避され得るほど小さくあるべきではない。
【００１４】
一実施形態では、バースト周期４０２および不活発周期４０４は、タイミングアドバンス（ＴＡ）調節周期４０８を備える。ＴＡ調節周期４０８はまた、ＵＥ速度によって決定され得る。速度が低下するほど、ＴＡ調節周期は、長くなる。ＴＡ調節周期は、あるＵＥからの通信が、別の通信と干渉を開始する前に、ＵＬが許容することができるタイミングエラーの量によって決定される。したがって、ＴＡ調節周期４０８は、所与の速度を有するＵＥに対して、無線往復タイミングを考慮する。
【００１５】
一実施形態では、ネットワークアクセス機器は、間隔２０６’をＵＥに通知する。通知は、タイミング調節更新メッセージの間、または独立メッセージを通して生じることができる。
【００１６】
例えば、一実施形態では、ＵＥは、ｅＮＢとのアクティブ通信が差し迫っていないとき、ＬＴＥ＿Ｉｄｌｅ状態にある。アクティブ通信の可能性が存在する（すなわち、パケットが、アップリンクまたはダウンリンク上で送信される必要がある）とき、ＵＥは、ＬＴＥ＿Ｃｏｎｎｅｃｔｅｄ状態にあるであろう。ＬＴＥ＿ＩｄｌｅからＬＴＥ＿Ｃｏｎｎｅｃｔｅｄ状態への遷移において、ＵＥは、維持される必要があるアップリンクタイミングアライメントを取得するであろう。いったんＵＬタイミングアライメントが取得されると、ＵＥがタイミングアライメントを喪失する前に十分な経過時間が存在しないように、必要なときにすぐに、ｅＮＢは、デフォルトＳＲＳバーストパターンパラメータをＵＥに信号伝達するであろう。信号伝達の実施例は、最高移動度ＵＥおよびバーストを開始すべき時間に好適なＳＲＳバースト周期および長さをＵＥが使用すべきであることであろう。ｅＮＢは、ＵＥの速度を決定するために使用することができる、これらのバーストおよびそれに利用可能な他のパラメータ（例えば、チャネル条件の変化）を監視するであろう。ｅＮＢは、ＵＥが、異なる一組のバーストパラメータを根拠とする速度で移動していると決定すると、随時、それらをＵＥに信号伝達するであろう。
【００１７】
ＵＥが、ＬＴＥ＿Ｃｏｎｎｅｃｔｅｄモードにある間、また、その速度の変化を示す他のパラメータを監視し得る（例えば、ＧＰＳ測定）。これをｅＮＢに信号伝達し、ｅＮＢに、その情報を組み込み、速度を決定させてもよい。その結果、速度が、異なる一組のＳＲＳバーストパラメータを要求することを示す場合、ｅＮＢは、それらをＵＥに信号伝達するであろう。
【００１８】
図５は、ＳＲＳシンボル２０２が図４に例証されたように伝送されるとき、ＵＥ速度が増加することに伴って、タイミング推定が少しだけ変動することを示すシミュレーションの結果である。図５に示されるように、ＵＥ速度が、３０ｋｍ／ｈから５００ｋｍ／ｈに増加することに伴って、平均タイミング推定エラーは、０．２６から０．３２μｓに少しだけ増加し、９５パーセンタイルは、ほぼ一定である。したがって、図４に示される同期方式は、図２の同期方式が使用されるときの０．３３μｓの劣化と比較して、０．０８μｓの平均タイミング推定劣化を有する。加えて、図４に示される同期方式は、図２の同期方式が使用されるときの０．２６μｓの劣化と比較して、ほぼ９５パーセンタイル劣化がない。図２および図４に例証される同期方式は、同一容量、例えば、無線リソース、およびアップリンクタイミング同期に対するバッテリ電力を使用するが、図４における同期方式は、異なるＵＥ速度によって、タイミング推定性能にあまり劣化をもたらさない。
【００１９】
図６は、本発明のある実施形態による方法の概略の流れ図である。示されるように、方法６００は、ブロック６０１から開始し、ブロック６０３においてバースト周期（例えば、図４に例証されるバースト周期４０２）を定義する。方法６００は、次いで、ブロック６０５に進み、方法６００は、間隔（例えば、図４に例証される間隔２０６’）を決定する。方法６００は、次いで、ブロック６０７に進み、方法６００は、タイミング信号命令（例えば、バースト周期および間隔タイミング）を送信する。方法６００は、選択的に、ブロック６０９に進み、不活発周期（例えば、図４に例証される不活発周期４０４）を配分し得る。方法６００は、次いで、タイミング信号命令の送信に進み、選択的な不活発周期タイミング命令を含むであろう。
【００２０】
図７は、本発明の別の実施形態による方法の概略の流れ図である。示されるように、方法７００は、ブロック７０１から開始し、ブロック７０３において、バースト周期（例えば、図４に例証されるバースト周期４０２）を定義する。方法７００は、次いで、ブロック７０５に進み、方法７００は、間隔（例えば、図４に例証される間隔２０６’）を決定する。方法７００は、次いで、ブロック７０７に進み、方法７００は、タイミング信号命令（例えば、バースト周期および間隔持続時間）を送信する。方法７００は、選択的に、ブロック７０９に進み、不活発周期を配分し得る。方法７００は、次いで、タイミング信号命令の送信に進み、不活発周期持続時間を含む。方法７００は、ブロック７０７から、直接、ブロック７１１に進んでもよく、または方法７００は、ブロック７０７からブロック７０９に、次いで、ブロック７１１に進んでもよい。ブロック７１１において、方法７００は、タイミング変化が存在するか否かを確認する。タイミング変化が存在するか否か決定するために使用され得る多くの方法が存在する。一実施形態では、時間ドリフトレート、例えば、以前の測定と比較した現在の測定のタイミングドリフトを使用することができる。他の方法は、加速度計またはＧＰＳ場所を使用して、タイミング変化が存在するか否かを決定するステップを含む。場所の変化は、ＧＰＳ位置によって決定されるそき、タイミング変化を示し得る。一実施形態では、ネットワークアクセス機器は、ネットワークアクセス機器において行われる測定に基づいて、タイミング変化が存在するか否かを決定する。別の実施形態では、ネットワークアクセス機器は、ＵＥから受信した情報に基づいて、タイミング変化が存在するか否か決定する。別の実施形態では、ネットワークアクセス機器は、ＵＥからの測定および情報に基づく情報を使用して、タイミング変化が存在することを決定する。
【００２１】
タイミング変化が存在する場合、方法７００は、次いで、ブロック７０３に戻って、バースト周期を再定義する。次に、方法７００は、ブロック７０５に進み、間隔を再決定する。そして、方法７００は、ブロック７０７に進み、再決定された間隔における再定義されたバースト周期を含むタイミング信号命令を送信する。タイミング変化が存在しない場合、または方法７００がバースト周期を再定義する必要がなく、間隔が再決定される必要がないと決定する場合、方法７００は、次いで、ブロック７０７に戻り、元のタイミング信号命令を送信する。代替として、ネットワークアクセス機器は、タイミング信号命令変化が存在するまで、タイミング信号命令を送信しない。
【００２２】
図８は、本発明による方法の概略の流れ図８００である。図８は、開始８０１から開始する。方法８００は、次いで、ブロック８０３に進み、タイミング信号命令を含むメッセージが受信される。これらのタイミング信号命令は、バースト周期および間隔タイミング命令とともに、選択的な不活発周期命令を備える。一実施形態では、これらのタイミング信号命令はまた、送信されるべきタイミング信号の数を含み得る。方法８００は、次いで、ブロック８０５に進み、タイミング信号は、タイミング信号命令に従って伝送される。一実施形態では、タイミング信号は、図４に示されるように、ＳＲＳタイミング信号２０２であり、ＳＲＳタイミング信号２０２は、命令されたバースト周期４０２の間、命令された間隔２０６’で送信される。
【００２３】
前述のように、本発明は、無線動作環境において、ＵＥ１１０によって実践され得る。図９に示されるのは、例証的なＵＥ１１０の概略のブロック図である。ＵＥ１１０の種々の周知の構成要素が描写されているが、ある実施形態では、列挙された構成要素のサブセットおよび／または列挙されない付加的構成要素が、ＵＥ１１０内に含まれ得る。ＵＥ１１０は、メインプロセッサ９０２およびメモリ９０４を含む。示されるように、ＵＥ１１０は、通信サブシステム９０６、ランダムアクセスメモリ９３０、マイクロホン９０８、イヤホンスピーカ９１０、入力／出力インターフェース９１２、リムーバブルメモリカード９１４、リムーバブルメモリカードインターフェース９１６、ユニバーサルシリアルバス（ＵＳＢ）ポート９１８、キーパッド９２０、タッチセンサ式表面を含み得る液晶ディスプレイ（ＬＣＤ）９２２、カメラモジュール９２４、カメラ論理９２６、および全地球測位システム（ＧＰＳ）センサ９２８をさらに含み得る。ある実施形態では、ＵＥ１１０は、タッチセンサ式画面を提供しない別の種類のディスプレイを含み得る。ある実施形態では、メインプロセッサは、直接、メモリ９０４と通信し得る。
【００２４】
メインプロセッサ９０２あるいはいくつかの他の形態のコントローラまたは中央処理ユニットは、メモリ９０４内に記憶されるか、あるいはメインプロセッサ９０２自体内に含有されるメモリに記憶される内蔵ソフトウェアまたはファームウェアに従って、ＵＥ１１０の種々の構成要素を制御するように動作する。内蔵ソフトウェアまたはファームウェアに加え、メインプロセッサ９０２は、メモリ９０４内、またはＲＡＭ９３０内、またはリムーバブルメモリカード９１４のようなポータブルデータ記憶媒体等の情報担体媒体を介して、あるいは有線または無線ネットワーク通信を介して、利用可能である、他のアプリケーションを実行し得る。アプリケーションソフトウェアは、所望の機能性を提供するように、メインプロセッサ９０２を構成する、コンパイルされた一組の機械可読命令を備えてもよく、またはアプリケーションソフトウェアは、メインプロセッサ９０２を間接的に構成するインタープリタまたはコンパイラによって処理される高レベルソフトウェア命令であり得る。
【００２５】
通信サブシステム９０６は、無線信号と電気信号との間で変換するように提供され、ＵＥ１１０に、セルラーネットワークまたはいくつかの他の利用可能な無線通信ネットワークから、またはピアＵＥ１１０から、情報を送受信可能にし得る。ある実施形態では、通信サブシステム９０６は、ビーム形成および／または多重入出力（ＭＩＭＯ）動作を支援するように、複数のアンテナを含み得る。当業者に周知のように、ＭＩＭＯ動作は、困難なチャネル条件を克服するため、および／またはチャネルスループットを増加させるために使用することができる空間的多様性を提供し得る。通信サブシステム９０６は、アンテナ同調および／またはインピーダンスアライメント構成要素、ＲＦ電力増幅器、および／または低雑音増幅器を含み得る。
【００２６】
通信サブシステム９０６はまた、周波数シフトを提供し、受信したＲＦ信号をベースバンドに変換し、ベースバンド伝送信号をＲＦに変換し得る。いくつかの説明では、通信サブシステム９０６は、変調／復調、符号化／復号、インターリービング／デインタリービング、拡散／逆拡散、逆高速フーリエ変換（ＩＦＦＴ）／高速フーリエ変換（ＦＦＴ）、周期的接頭辞添付／除去、および他の信号処理機能等の、他の信号処理機能性を含むと理解され得る。簡単にする目的で、ここでの説明は、ＲＦおよび／または無線段階から、この信号処理の説明を分離し、その信号処理をメインプロセッサ９０２または他の処理ユニットに概念的に配分する。
【００２７】
メインプロセッサ９０２は、入力および出力の種々のアナログ処理、例えば、マイクロホン９０８からの入力およびスピーカ９１０への出力のアナログ処理を提供し得る。そのためには、メインプロセッサ９０２は、ＵＥ１１０を携帯電話として使用可能にする内蔵マイクロホン９０８およびスピーカ９１０に接続するためのポートを有し得る。メインプロセッサ９０２は、ヘッドセットまたは他のハンズフリーマイクロホンおよびスピーカ構成に接続するためのポートをさらに含み得る。メインプロセッサ９０２は、ある信号方向においてデジタル／アナログ変換を、反対信号方向においてアナログ／デジタル変換を提供し得る。いくつかの実施形態では、メインプロセッサ９０２の機能性の少なくともいくつかは、他のデジタル処理構成要素によって提供され得る。
【００２８】
メインプロセッサ９０２は、変調／復調、符号化／復号、インターリービング／デインタリービング、拡散／逆拡散、逆高速フーリエ変換（ＩＦＦＴ）／高速フーリエ変換（ＦＦＴ）、周期的接頭辞添付／除去、および無線通信と関連する他の信号処理機能を行い得る。ある実施形態では、例えば、符号分割多重アクセス（ＣＤＭＡ）技術用途において、伝送器機能のために、メインプロセッサ９０２は、変調、符号化、インターリービング、および拡散を行ってもよく、受信機機能のために、メインプロセッサ９０２は、逆拡散、デインターリービング、復号、および復調を行い得る。別の実施形態では、例えば、直交周波数分割多重アクセス（ＯＦＤＭＡ）技術用途において、伝送器機能のために、メインプロセッサ９０２は、変調、符号化、インターリービング、逆高速フーリエ変換、および周期的接頭辞添付を行ってもよく、受信機機能のために、メインプロセッサ９０２は、周期的接頭辞除去、高速フーリエ変換、デインターリービング、復号、および復調を行い得る。他の無線技術用途において、さらに、他の信号処理機能、および信号処理機能の組み合わせが、メインプロセッサ９０２によって行われ得る。
【００２９】
メインプロセッサ９０２は、無線ネットワーク９３８と通信し得る。いくつかの実施形態では、通信は、インターネット接続を提供し、ユーザに、インターネット上のコンテンツへのアクセスを得させ、電子メールおよびテキストメッセージを送受信することを可能にし得る。入力／出力インターフェース９１２は、メインプロセッサ９０２および種々のメモリおよびインターフェースを相互接続する。メモリ９０４、ＲＡＭ９３０、およびリムーバブルメモリカード９１４は、ソフトウェアおよびデータを提供し、メインプロセッサ９０２の動作を構成し得る。
【００３０】
キーパッド９２０は、メインプロセッサ９０２に連結し、ユーザが選択を行うこと、情報を入力すること、そうでなければ、ＵＥ１１０に入力を提供することのための１つの機構を提供する。キーボード９０２は、ＱＷＥＲＴＹ、Ｄｖｏｒａｋ、ＡＺＥＲＴＹ、および逐次タイプ等の、完全または縮小英数字キーボード、または電話キーパッドと関連するアルファベット文字を伴う従来の数字キーパッドであり得る。入力キーは、さらなる入力機能を提供するように内向きに押下され得るトラックホイール、終了またはエスケープキー、トラックボール９３２、および他のナビゲーションまたは機能キーを含み得る。別の入力機構は、タッチスクリーン能力を含み、また、ユーザにテキストおよび／またはグラフィックを表示し得るＬＣＤであり得る。
【００３１】
カメラ９２４が装備された場合、ＵＥ１１０がデジタル写真を撮ることを可能にする。メインプロセッサ９０２は、カメラ論理９２６を介してカメラ９２４と通信する。ＧＰＳセンサ９２８は、メインプロセッサに連結され、全地球測位システム信号をデコードし、それによって、ＵＥ１１０にその位置を決定させる。種々の他の周辺機器もまた、付加的な機能、例えば、ラジオおよびテレビ受信を提供するように含まれ得る。
【００３２】
ＵＥ１１０は、バッテリ駆動デバイスであってもよく、１つ以上の再充電可能バッテリ９３６を受容するためのバッテリインターフェース９３４を含み得る。いくつかの実施形態では、バッテリ９３６は、内蔵マイクロプロセッサを有するスマートバッテリであり得る。バッテリインターフェース９３４は、ＵＥ１１０に電力を提供する際、バッテリ９３６を補助する調整器（図示せず）に連結される。バッテリ９３６は、ＵＥ１１０内の全構成要素およびモジュールに給電するために使用され得る。
【００３３】
ソフトウェアアプリケーション９４０はまた、ＵＥ１１０のメモリ９０４内に記憶され得る。ソフトウェアアプリケーション９４０は、メッセージングアプリケーション９４２を含み得る。メッセージングアプリケーション９４２は、ＵＥ１１０の加入者またはユーザに、テキストメッセージを含む無線通信を送信および受信させる任意の好適なソフトウェアプログラムであることができる。送信または受信されたメッセージは、典型的には、メモリ９０４内に、またはＵＥ１１０内のいくつかの他の好適な記憶要素内に記憶される。代替実施形態では、送信および受信されるメッセージのいくつかは、遠隔に記憶され得る。
【００３４】
ＵＥ１１０は、デバイス状態モジュール９４４、パーソナル情報マネージャ（ＰＩＭ）９４６、インターネットブラウザ９５０、および他の種々のモジュール９４８をさらに含み得る。
【００３５】
異なるＵＥは、異なる能力を有し得ることを理解されるであろう。したがって、前述の説明は、ＵＥ内に提供され得る、潜在的能力の全部の包括であると意図されない。さらに、いくつかのＵＥは、前述より少ない能力を有し得る。例えば、ＵＥは、カメラまたはＧＰＳセンサを有していなくてもよい。
【００３６】
図１０は、ネットワークアクセス機器１０２の簡略化されたブロック図を例証する。当業者に周知のネットワークアクセス機器の多くの構成が存在し、ネットワークアクセス機器の構成は、ネットワークに応じて変動するであろう。ネットワークアクセス機器１０２は、伝送モジュール１００１、受信モジュール１００３、およびプロセッサ１００５を備える。当業者は、伝送モジュール１００１と受信モジュール１００３とが、単一の送受信機モジュールに組み合わせられてもよいことを理解するであろう。伝送モジュール１００１および受信モジュール１００３は、図１に示される同一のアンテナ１１２に、または構成に応じて異なるアンテナに連結され得る。一実施形態では、プロセッサ１００５は、図示されないメモリを備える。同期タイミング命令モジュール１００７は、プロセッサ１００５内、またはプロセッサと関連付けられたメモリ内に記憶され得る。同期タイミング命令モジュール１００７は、バースト周期モジュール１００９、間隔モジュール１０１１、メッセージ発生器モジュール１０１９、および選択的な不活発周期モジュール１０１７を備える。間隔モジュール１０１１はさらに、周波数制御モジュール１０１３を備え、周波数制御モジュール１０１３はさらに、推定モジュール１０１５を備える。
【００３７】
バースト周期モジュール１００９は、図４に示されるバースト周期４０２を定義する。間隔モジュール１０１１は、図４に示される間隔２０６’を決定する。バースト周期モジュール１００９は、定義されたバーストをメッセージ発生器モジュール１０１９に送信し、間隔モジュールは、決定された間隔２０６’をメッセージ発生器モジュール１０１９に送信する。メッセージ発生器モジュール１０１９は、次いで、タイミング信号命令（例えば、バースト周期および間隔持続時間）を伝送モジュール１００１に送信する。伝送モジュール１００１は、図１に示される、アンテナ１１２と併用され、タイミング信号命令をネットワークアクセス機器（例えば、ｅＮＢ）からＵＥに伝送し得る。
【００３８】
一実施形態では、ネットワークアクセス機器１０２は、メモリ内にルックアップテーブルを含有する。ネットワークアクセス機器１０２は、後述のように、ユーザ機器の速度を推定し、速度推定を使用してバースト周期および間隔をルックアップテーブルから決定する。
【００３９】
一実施形態では、間隔モジュール１０１１は、周波数制御モジュール１０１３を備える。周波数制御モジュール１０１３は、同期を維持するために、タイミング信号の反復周波数を確認する。一実施形態では、周波数制御モジュール１０１３は、タイミングシーケンス間の小間隔、例えば、ＵＥが５００ｋｍ／ｈで進行していた場合に要求されるであろう間隔、すなわち、２００Ｈｚを使用して、ネットワークアクセス機器とのＵＬ同期を確認し得る。ＵＬ同期が確立されると、周波数制御モジュール１０１３は、ＴＡ調節周期の所与の数に対して、タイミングシーケンス間の間隔を増加させてもよい。例えば、周波数制御モジュールは、タイミングシーケンス間の間隔を、ＵＥが、３６０ｋｍ／ｈで進行していた場合に要求される間隔、すなわち、１００Ｈｚに増加させてもよい。ＵＥが、ＵＬ同期を継続して維持する場合、周波数制御モジュール１０１３は、ＵＬ同期が喪失されるまで、間隔を再び増加させてもよい。ネットワークアクセス機器は、その間隔が、そのとき、システムにとって最も最適であるので、次いで、ＵＥに、タイミングシーケンス間の最後に既知の正常間隔に戻るよう命令することができるか、またはＵＥは、ネットワークアクセス機器からの命令なく、最後に既知の正常間隔に戻ることができる。このプロセスは、周期的に、またはイベント通知に応じて、反復され得る。
【００４０】
別の実施形態では、周波数制御モジュール１０１３は、間隔を公称レートに、例えば、１２０ｋｍ／ｈで移動しているＵＥと関連付けられた間隔に設定し得る。次いで、周波数制御モジュール１０１３は、ＵＬ同期が喪失されるか、または喪失されそうになるまで、間隔を減少させ得る。
【００４１】
別の実施形態では、周波数制御モジュール１０１３はさらに、推定モジュール１０１５を備える。推定モジュール１０１５は、ユーザの移動度を推定可能である。一実施形態では、推定モジュール１０１５は、ＵＥの絶対および相対速度の両方を推定することができる。推定モジュール１０１５は、速度測定の精度を改善するための低域通過フィルタを含み得る。一般に、ＵＥの相対速度、すなわち、ネットワークアクセス機器に向かうかまたはそこから離れる速度は、ＵＬ同期タイミングに大きな影響を及ぼすであろう。一実施形態では、推定モジュール１０１５は、タイミングドリフトを使用して、相対速度を推定してもよく、相対速度＝（Ｔ＊Ｃ）／（２＊バースト周期）である。Ｔは秒単位の時間ドリフトである場合、Ｃは光の速度であり、バースト周期もまた、秒単位である。
【００４２】
別の実施形態では、推定モジュール１０１５は、ＵＥから入力を受信し、速度を決定する。例えば、ＵＥは、位置情報（例えば、ＧＰＳから取得される）をネットワークアクセス機器に提供し得る。この位置情報は、推定モジュールによって使用され、ＵＥの速度を決定し得る。
【００４３】
別の実施形態では、間隔モジュール１０１１は、同期を維持するために、バースト毎に要求されるタイミング信号（例えば、ＳＲＳシンボル２０２）の数を確立する。図３および５に示されるシミュレーションは、２０個のＳＲＳシンボルの伝送を示すが、これは、ＬＴＥシステムに特有である。ＬＴＥタイミングが変化する場合、または他のネットワークの場合、同期を維持するために、バースト毎に要求されるタイミング信号の数を決定する必要があり得る。タイミング信号の数を決定する方法の１つは、最大数のタイミング信号を送信し、次いで、最適数に到達するまで、送信されるタイミング信号の数を減少させることである。
【００４４】
図１１は、メモリ９０４、ＲＡＭ９３０、またはＵＥ１１０のメインプロセッサ９０２におけるメモリ内に記憶され得る同期タイミングモジュール１１０１を例証する。同期タイミングモジュール１０１１は、メッセージ受信モジュール１１０３およびタイミング信号生成モジュール１１０５を備える。メッセージ受信モジュール１１０３は、図９に示される通信サブシステム９０６と併用され、タイミング信号命令メッセージをネットワークアクセス機器１０２から受信し得る。タイミング信号命令は、タイミング信号生成モジュール１１０５に送信される。タイミング信号生成モジュール１１０５は、タイミング信号命令に従って、タイミング信号を伝送する。したがって、ＵＥは、命令された間隔２０６’において、命令されたバースト周期４０２に対して、タイミング信号、例えば、ＳＲＳ信号２０２を伝送するであろう。タイミング信号生成モジュールは、図９に示される通信サブシステム９０６と併用され、タイミング信号をネットワークアクセス機器１０２に伝送し得る。
【００４５】
一実施形態では、同期タイミングモジュール１１０１はまた、選択的な推定モジュール１１０７を含む。推定モジュール１１０７は、ＵＥの速度を推定するために使用される。一実施形態では、推定モジュール１１０７は、図９に示されるＧＰＳセンサ９２８から情報を取得し、その情報を通信サブシステム９０６に提供する。ＧＰＳ情報は、次いで、ネットワークアクセス機器１０２に伝送される。代替として、推定モジュール１１０７は、ＧＰＳセンサから情報を取得し、ＵＥの速度を推定し、次いで、ネットワークアクセス機器１０２への伝送のために、通信サブシステム９０６に推定を提供し得る。
【００４６】
別の実施形態では、図４に示されるＳＲＳバーストの開始伝送は、アクティブ化メッセージによって、ネットワークアクセス機器によってトリガされ得る。そのようなアクティブ化メッセージは、例えば、物理ダウンリンク制御チャネル（ＰＤＣＣＨ）を介して、無線リソース制御（ＲＲＣ）メッセージまたは媒体アクセス制御（ＭＡＣ）制御要素（ＣＥ）または物理層信号伝達として、実装され得る。ＵＥは、ＵＥが、図１２ａに例証されるように、非アクティブ化メッセージを受信するまで、ＳＲＳバーストを継続的に伝送し得る。そのような非アクティブ化メッセージは、例えば、ＰＤＣＣＨを介して、ＲＲＣメッセージまたはＭＡＣ  ＣＥまたは物理層信号伝達として実装され得る。
【００４７】
別の実施形態では、ＳＲＳバーストは、図１２ｂに例証されるように、構成された持続時間にわたって、ネットワークアクセス機器によって伝送されるように構成され得る。持続時間パラメータは、例えば、アクティブ化メッセージ内において半静的または動的に信号伝達されるように事前に構成され得る。
【００４８】
さらに別の実施形態では、ＳＲＳバーストは、図１２ｃに例証されるように、各アクティブ化メッセージを受信後、１回だけ伝送されるように構成され得る。
【００４９】
３ＧＰＰ  ＬＴＥ  Ｒｅｌｅａｓｅ  ８において使用されるようなＳＲＳは、連続的な一組のサブキャリアから構成される可変帯域幅を占有し、帯域幅内のサブキャリアを１つおきに使用し、直交基準信号シーケンスから構築される。これらの特色は、ＳＲＳが、その周波数リソース（その帯域幅および周波数内のその開始場所）、その周波数リソース内に占有するサブキャリアのサブセット（ＳＲＳ「コーム」）、フレームタイミングに対して伝送される間のＯＦＤＭシンボル、そのコードシーケンス（そのベースシーケンスまたはそのシーケンス群等）、およびコードシーケンスのその循環シフトによって、識別され得ることを意味する。図１３は、２つのコームのうちのいずれかにおけるＳＲＳ伝送を例証しており、ＳＲＳは、合計４８のサブキャリアの帯域幅Ｂを占有し、周波数にける場所Ｋから開始し、２つのコームのうちのいずれかにある（ｋ０＝０またはｋ０＝１サブキャリアのいずれかの周波数オフセットを有する）。ＳＲＳコームによって使用されるｎ番目のサブキャリアは、基準信号サンプルｒα（ｎ）を含有し、コームによって使用される合計２４のサブキャリアが存在し、したがって、ＳＲＳシーケンス長は２４である。各ｒα（ｎ）は、循環シフト（循環シフト係数αによって設定される）を有し得、循環シフトは、コードシーケンスの複素数乗算
【００５０】
【数１】
2013531413.tif 000003
【００５１】
として周波数領域内に実装され得、ここで、
【００５２】
【数２】
2013531413.tif 000004
【００５３】
は、コードシーケンスであり、Ｓｉ＝｛０，１，・・・，Ｓｍａｘ−１｝は、循環シフト指数であり、およびＳｍａｘ＝８である。Ｓｍａｘは、循環シフトの数を設定し、Ｓｍａｘ＝８の循環シフトが、本実施形態において使用されるが、代替実施形態は、１ほどの小さい（循環シフトがない場合）またはシーケンス長と同じ大きさ（本実施形態では、２４）のＳｍａｘを使用することができることに留意されたい。
【００５４】
ＳＲＳに対して使用されるリソース（周波数リソース、コーム、相対的ＯＦＤＭシンボル時間、コードシーケンス、または循環シフト等）は、ＳＲＳ周波数ホッピングの場合におけるように、時変であり得ることに留意されたい。したがって、ＳＲＳの識別は、リソースホッピングシーケンスによって、ならびにリソースの固定マッピングによってであり得る。
【００５５】
ＵＥが、複数の伝送アンテナを有するとき、各アンテナは、別個のＳＲＳが割り当てられ得る。さらに、異なるアンテナからのＳＲＳは、異なる周波数リソース、異なるコードシーケンスを有する異なるコームから、あるいは異なるサブフレームもしくは異なる周波数リソース、コードシーケンス、またはサブフレームの組み合わせから伝送され得る。
【００５６】
一実施形態では、全てのアンテナからのＳＲＳは、図１４に例証されるように、同時に伝送してもよく、各アンテナからのＳＲＳは、同一周波数リソースまたはサブキャリアからであるが、異なるコードシーケンスまたはコードシーケンスの異なる循環シフトによって伝導される。
【００５７】
別の実施形態では、異なるアンテナからのＳＲＳは、図１５に例証されるように、異なるサブフレームから伝送され得る。代替として、いくつかのアンテナからのＳＲＳは、同一サブフレーム内において伝送され得る一方、他のアンテナからのＳＲＳは、異なるサブフレームから伝送され得る。
【００５８】
一実施形態では、ＳＲＳバースト内の各アンテナからのＳＲＳ伝送は、同一周波数リソースまたはサブキャリアからであり得る。
【００５９】
別の実施形態では、１つのバースト内の各アンテナからのＳＲＳ伝送は、異なる周波数リソースまたはサブキャリア上にあり、例えば、図１６に例証されるように、ある周波数リソースから別のものへホッピングし、異なるアンテナからのＳＲＳは、同一周波数リソースであるが、異なるコードシーケンスまたはコードシーケンスの異なる循環シフトが割り当てられる。
【００６０】
なおも別の実施形態では、異なるアンテナからのＳＲＳ伝送は、図１７に示されるように、異なる周波数リソース上にあり得る。
【００６１】
一実施形態では、各アンテナに対するＳＲＳ周波数リソース配分は、図１７における実施例に例証されるように、各ＳＲＳバーストに対する固定パターンによって事前構成され得る。
【００６２】
別の実施形態では、周波数リソース配分パターンは、バースト毎に異なってもよい。
【００６３】
一実施形態では、ＳＲＳバースト内の各アンテナからのＳＲＳ伝送は、コードシーケンスの同一循環シフトであるが、異なる周波数リソースまたは異なるサブフレームから使用し得る。
【００６４】
別の実施形態では、ＳＲＳバースト内の各アンテナからのＳＲＳ伝送は、コードシーケンスの異なる循環シフトを使用し得る。
【００６５】
関連実施形態では、ＳＲＳバースト内の各アンテナからのＳＲＳ伝送は、同一のＯＦＤＭシンボルにおいて伝送している全ての他のアンテナと異なるコードシーケンスの循環シフトを使用するが、加えて、全てのアンテナに対するＳＲＳは、ＯＦＤＭシンボルの間、ＵＥによって伝送される全てのサウンディング基準信号が、同一サブキャリアを占有し、サウンディング基準信号を含有する連続的な一組のサブキャリア内のサブキャリアの半分を占有するように、同一ＳＲＳコームを使用する。ＵＥに複数のコーム上で伝送させることは、合理的であるが、ＵＥからのＳＲＳ伝送を同一のＳＲＳコーム上に制限することは、ＳＲＳを伝送するＵＥ間の干渉を低減させることができるので、有利であり得る。マルチパス無線チャネルは、コードシーケンスの異なる循環シフト（特に、近接循環シフト）を伝送しているＵＥの直交性を劣化させるので、異なるコーム上で伝送しているＵＥは、多くの場合、相互にあまり干渉しない。異なるコームの代わりに、異なる循環シフトを使用してＵＥのアンテナ上のＳＲＳを多重化することは、ＵＥのアンテナ間のＳＲＳ干渉を増加させ得る。ＵＥのアンテナから受信する電力は、合理的に近接する傾向にあるので、このことは、容認可能な妥協である。アンテナは、近接している（約数センチメートル離れて）一方、ＵＥは、離間し得（約数キロメートル）、したがって、ＵＥの受信される電力は、数１０ｄＢ離間し得る。この受信電力の相違は、ＵＥが、ＵＥのアンテナが相互に干渉する以上に、他のＵＥに強く干渉する傾向にあることを意味する。したがって、アンテナではなく、ＵＥが多重化するためのＳＲＳコームのより優れた隔離特性を使用することがより重要であり得、したがって、ＵＥが単一コームの循環シフトを使用するように制限することが有益となり得る。
【００６６】
３ＧＰＰ  Ｒｅｌｅａｓｅ  ８において使用されるように、１つおきのサブキャリアの代わりに、Ｎ個おきのサブキャリアを占有するＳＲＳ信号を構築することが可能であることに留意されたい。依然として、この場合、ＯＦＤＭシンボル内においてユーザ機器によって伝送される全てのサウンディング基準信号は、同一サブキャリアを占有し、サウンディング基準信号を含有する連続的な一組のサブキャリア内のサブキャリアの半分以下を占有するであろう。
【００６７】
別の関連実施形態では、ＳＲＳバースト内の全てのアンテナからのＳＲＳ伝送は、同一のＳＲＳコーム上にあり、各アンテナは、同一のＯＦＤＭシンボルにおいて伝送する全ての他のアンテナと異なるコードシーケンスの循環シフトによって、ＳＲＳを使用し、さらに、循環シフトは、循環連続的である。循環連続的な制限は、ｉ番目のアンテナのために使用される循環シフトＳｉが、異なるｊ番目のアンテナ上で使用される循環シフトＳｊと異なることを要求し、ｉ＝｛１，２，…Ｍ｝のとき、ｍｉｎ（ｍｏｄ（Ｓｉ−Ｓｊ＋Ｓｍａｘ，Ｓｍａｘ）、ｍｏｄ（Ｓｉ−Ｓｊ＋Ｓｍａｘ，Ｓｍａｘ））＝１であり、各ｉに対して１つまたは２つのｊであり、ここで、ｉおよびｊは、ＳＲＳを搬送するＭ個の伝送アンテナに対応する指数であり、およびＳｍａｘは、循環シフトの数であり、およびｍｏｄ（ｘ，ｙ）は、整数ｙによる整数ｘのモジュロ除算である。換言すると、循環連続的な循環シフトは、各アンテナに対して異なる循環シフトであり、循環シフトが、Ｓｋ＋１＞Ｓｋであるように、増加順に指数化される場合、ｋ＝｛１，２，…Ｍ−１｝のとき、ｍｉｎ（ｍｏｄ（Ｓｋ＋１−Ｓｋ＋Ｓｍａｘ，Ｓｍａｘ）、ｍｏｄ（Ｓｋ−Ｓｋ＋１＋Ｓｍａｘ，Ｓｍａｘ））＝１である。さらに循環シフトを連続的であるように制限する利点は、ＵＥに単一のＳＲＳコームを使用するように制限することに類似する。所与のＳＲＳコームの場合、ＳＲＳコードシーケンスの隣接する循環シフトは、多くの場合、マルチパスチャネル内のコードのより離れた循環シフトよりも相互に干渉するであろう。前述のように、１つのＵＥの異なるアンテナは、異なる複数のＵＥよりもより近い電力レベルで受信される傾向にあるので、１つのＵＥのアンテナ間の相互干渉は、複数のＵＥ間の干渉よりも性能を劣化させ得ない。したがって、循環シフトを連続的であるように制限することは、各ＵＥのアンテナ間により多くの干渉を有するが、ＵＥ間にはあまり干渉をもたらさない傾向にし、干渉制御の向上をもたらす。
【００６８】
さらに別の実施形態では、異なるアンテナからのＳＲＳは、異なる周波数リソース、コードシーケンスまたは循環シフト、およびサブフレームの組み合わせによって、構成され得る。
【００６９】
一実施形態では、ＳＲＳパラメータは、例えば、上層信号伝達を介して、ＵＥに半静的に信号伝達され得る。
【００７０】
別の実施形態では、ＳＲＳパラメータは、例えば、下層信号伝達を介して、ＵＥに動的に信号伝達され得る。
【００７１】
なおも別の実施形態では、パラメータのうちの一部は、半静的に信号伝達され得る一方、他のパラメータは、動的に信号伝達され得る。
【００７２】
ＳＲＳパラメータのうちの一部は、セル特有であり得、すなわち、全てのＵＥに適用可能であることを意味する一方、他のＳＲＳパラメータは、ＵＥ特有であり得、すなわち、１つのＵＥのみに適用可能であることを意味する。
【００７３】
セル特有のＳＲＳパラメータは、セル内の全てのＵＥに半静的にブロードキャストされ得る。ＵＥ特有のＳＲＳパラメータは、通常、意図されたＵＥのみに、半静的または動的に信号伝達される。
【００７４】
セル特有のＳＲＳパラメータは、ＳＲＳが配分され得るＳＲＳサブフレームおよびＳＲＳ帯域幅を含み得る。これらのパラメータは、明示的または暗黙的に信号伝達され得る。後者の場合、パラメータは、他の信号伝達されたパラメータから導出され得る。
【００７５】
ＵＥ特有のＳＲＳパラメータは、ＳＲＳサブフレーム、ＳＲＳ帯域幅、開始周波数場所、周波数ホッピングパラメータ、ＳＲＳ持続時間、ＳＲＳバースト長さ、およびコードシーケンスの循環シフトを含み得る。
【００７６】
ＵＥ特有のＳＲＳパラメータは、周波数リソース配分、コードシーケンス、およびサブフレーム等、複数の伝送アンテナを有するＵＥに対して、アンテナ毎のＳＲＳパラメータを含み得る。
【００７７】
一実施形態では、各アンテナに対するＳＲＳパラメータは、例えば、ＰＤＣＣＨを介して、ＲＲＣメッセージ、ＭＡＣ制御要素、または物理層信号伝達を通して、ＵＥに明示的に信号伝達され得る。
【００７８】
別の実施形態では、１つのアンテナのみ、例えば、第１のアンテナに対するＳＲＳパラメータが、例えば、ＰＤＣＣＨを介して、ＲＲＣメッセージ、ＭＡＣ制御要素、または物理層信号伝達を通して、明示的に信号伝達され得る。アンテナの残りに対するＳＲＳパラメータは、所定または事前に構成されたルールによって、信号伝達されるパラメータから導出され得る。例えば、アンテナの残りに対するパラメータは、循環オフセット等、第１のアンテナに対するパラメータに対して事前に構成されたオフセットによって、導出され得る。
【００７９】
ＳＲＳバースト伝送は、上層、例えば、ＲＲＣ層、または下層、例えば、ＭＡＣ層または物理層を通して、トリガされ得る。下層トリガは、概して、より低い信号伝達待ち時間を有し、好ましくあるはずであるが、ＳＲＳ伝送の構成は、上層信号伝達によって、信号伝達され得る。
【００８０】
ある実施形態では、ネットワークアクセス機器における方法が提供される。方法は、複数の基準信号を送信するためのバースト持続時間を定義するステップを含む。方法はさらに、バースト持続時間内の複数の基準信号のうちの信号間の間隔を決定するステップを含む。方法はさらに、複数の基準信号バーストを送信するためのバースト周期を定義するステップを含む。方法はさらに、アクティブ化メッセージと、バースト持続時間、間隔、およびバースト周期のうちの少なくとも１つとを含む基準信号命令メッセージを送信するステップを含む。
【００８１】
ある実施形態では、ネットワークアクセス機器における代替方法が、提供される。方法は、複数の伝送アンテナを有するユーザ機器に対する第１のサウンディング基準信号バーストおよび第２のサウンディング基準信号バーストを定義するステップを含む。第１のサウンディング基準信号バーストは、第１のアンテナのために定義され、第２のサウンディング基準信号バーストは、第２のアンテナのために定義される。第１のサウンディング基準信号バーストおよび第２のサウンディング基準信号バーストは、異なる。
【００８２】
ある実施形態では、ネットワークアクセス機器における別の代替方法が、提供される。方法は、複数の伝送アンテナを有するユーザ機器に対して、複数のサウンディング基準信号を定義するステップを含む。各サウンディング基準信号は、１つの伝送アンテナに対して定義され、複数のサウンディング基準信号は、異なる。ＯＦＤＭシンボル内の全サウンディング基準信号は、一組のサブキャリアを占有し、一組のサブキャリアは、サウンディング基準信号を含む連続した組のサブキャリア内のサブキャリアの半分より多くを占有しない。複数のサウンディング基準信号バーストは、コードシーケンスの異なる循環シフトを使用し、循環シフトは、循環連続的である。
【００８３】
実施形態における前述のモジュールおよび他のアプリケーションは、周知のプログラミング技法、言語、およびアルゴリズムを使用して、実装することができることを理解されるであろう。モジュールの名称は、あるモジュールに標識を提供し、機能を割り当てるために、便宜上、提供される。各モジュールが、前述のように、その機能のみを行うことは、要求されない。したがって、各アプリケーションに対する具体的機能性は、アプリケーション間で移動されるか、または異なるアプリケーションに分離され得る。モジュールは、他のモジュール内に含まれ得る。
【００８４】
いくつかの実施形態が、本開示に提供されたが、開示されるシステムおよび方法は、本開示の精神または範囲から逸脱することなく、多くの他の具体的形態において具現化され得ることを理解されたい。本実施例は、制限ではなく、例証と見なされ、その意図は、本明細書に与えられる詳細に限定されない。例えば、種々の要素または構成要素は、別のシステムに組み合わせられるか、または統合され得、あるいはある特徴は、省略され、実装されなくてもよい。
【００８５】
また、別々または別個として、種々の実施形態に説明および例証される、技法、システム、サブシステム、ならびに方法は、本開示範囲から逸脱することなく、他のシステム、モジュール、技法、または方法と組み合わせられるか、あるいは統合され得る。相互に連結または直接連結され、あるいは通信するように図示もしくは論じられる他のアイテムは、電気的に、機械的に、または別様にであるかに関わらず、いくつかのインターフェース、デバイス、または中間構成要素を通して、間接的に連結または通信し得る。変更、代用、および改変の他の実施例は、当業者によって究明可能であって、本明細書に開示される精神および範囲から逸脱することなく、行われ得る。
【図１】
2013531413.tif 000005
【図２】
2013531413.tif 000006
【図３】
2013531413.tif 000007
【図４】
2013531413.tif 000008
【図５】
2013531413.tif 000009
【図６】
2013531413.tif 000010
【図７】
2013531413.tif 000011
【図８】
2013531413.tif 000012
【図９】
2013531413.tif 000013
【図１０】
2013531413.tif 000014
【図１１】
2013531413.tif 000015
【図１２Ａ】
2013531413.tif 000016
【図１２Ｂ】
2013531413.tif 000017
【図１２Ｃ】
2013531413.tif 000018
【図１３】
2013531413.tif 000019
【図１４】
2013531413.tif 000020
【図１５】
2013531413.tif 000021
【図１６】
2013531413.tif 000022
【図１７】
2013531413.tif 000023
【国際調査報告】
2013531413.tif 000024
2013531413.tif 000025
2013531413.tif 000026
2013531413.tif 000027
2013531413.tif 000028